【手続補正書】
【提出日】平成27年1月6日(2015.1.6)
【手続補正１】
【補正対象書類名】特許請求の範囲
【補正対象項目名】全文
【補正方法】変更
【補正の内容】
【特許請求の範囲】
【請求項１】
環境情報を取得する環境情報取得部と、
状態情報を取得する状態情報取得部と、
状態毎に取得した少なくとも１つの環境情報に基づいて、環境から受ける影響が低減又は増大する状態に誘導するための誘導情報を生成する誘導情報生成部と、
前記誘導情報を提示する提示部と、
を具備する、頭部又は顔部に装着型の画像表示装置。
【請求項２】
前記環境情報取得部は、前記画像表示装置本体又は前記画像表示装置を装着したユーザーが浴びる、電磁波（紫外線、ブルーライト、電波など）、熱線（赤外線）、放射線、一酸化炭素、二酸化炭素、酸素、窒素酸化物、窒素化合物（ニコチン）、炭化水素、粒子状物質、光化学スモッグ、花粉、ハウスダスト、又はマイナスイオンのうち少なくとも１つの環境因子に関する情報を取得する、
請求項１に記載の画像表示装置。
【請求項３】
前記誘導情報生成部は、前記画像表示装置又は前記画像表示装置を装着するユーザーに悪影響を与える環境因子が低減する状態に誘導するための誘導情報、又は、よい影響を与える環境因子が増大する状態に誘導するための誘導情報を生成する、
請求項１又は２のいずれかに記載の画像表示装置。
【請求項４】
画像を表示する画像表示部をさらに備え、
前記提示部は、前記画像表示部に前記誘導情報を表示させる、
請求項１乃至３のいずれかに記載の画像表示装置。
【請求項５】
前記提示部は、前記画像表示装置を頭部又は顔部に装着したユーザーの視界の画像と重ね合わせて、前記画像表示部に前記誘導情報を表示させる、
請求項４に記載の画像表示装置。
【請求項６】
前記提示部は、環境から受ける影響が低減又は増大する状態に誘導する方向を示す誘導情報を、ユーザーの視界の画像と重ね合わせて前記画像表示部に表示させる、
請求項５に記載の画像表示装置。
【請求項７】
前記状態情報取得部は、前記画像表示装置又は前記画像表示装置を装着するユーザーの現在の状態情報を取得し、
前記環境情報取得部は、状態情報が変化する度に、前記画像表示装置又は前記画像表示装置を装着するユーザーの環境情報を取得し、
前記誘導情報生成部は、現在時刻までの所定の期間に取得した環境情報に基づいて誘導情報を生成する、
請求項１乃至６のいずれかに記載の画像表示装置。
【請求項８】
前記状態情報取得部は、前記画像表示装置本体又は前記画像表示装置を装着したユーザーの現在の位置又は姿勢に関する状態情報を取得し、
前記誘導情報生成部は、異なる位置又は姿勢で前記環境情報取得部が取得した環境情報に基づいて、現在の位置又は姿勢における誘導情報を生成する、
請求項１乃至６のいずれかに記載の画像表示装置。
【請求項９】
前記状態情報取得部は、前記画像表示装置本体又は前記画像表示装置を装着したユーザーの現在の位置又は姿勢、温度に関する状態情報を取得し、
前記誘導情報生成部は、異なる位置又は姿勢、又は異なる温度で前記環境情報取得部が取得した環境情報に基づいて、現在の位置又は姿勢における誘導情報を生成する、
請求項１乃至６のいずれかに記載の画像表示装置。
【請求項１０】
前記状態情報取得部は、所定の時間帯内で、前記画像表示装置又は前記画像表示装置を装着するユーザーの現在の状態情報を取得し、
前記環境情報取得部は、前記所定の時間帯内で状態情報が変化する度に、前記画像表示装置又は前記画像表示装置を装着するユーザーの環境情報を取得し、
前記誘導情報生成部は、環境情報に基づいて前記所定の時間帯内における誘導情報を生成する、
請求項１乃至６のいずれかに記載の画像表示装置。
【請求項１１】
前記所定の時間帯以外では、前記画像表示装置内の少なくとも機能を停止させる、
請求項１０に記載の画像表示装置。
【請求項１２】
前記状態情報取得部は、前記画像表示装置本体又は前記画像表示装置を装着したユーザーの現在の位置又は姿勢、温度に関する状態情報を取得し、
前記誘導情報生成部は、前記所定の時間帯内で、異なる位置又は姿勢、又は異なる温度で前記環境情報取得部が取得した環境情報に基づいて、現在の位置又は姿勢における誘導情報を生成する、
請求項１０又は１１のいずれかに記載の画像表示装置。
【請求項１３】
前記環境情報取得部が取得した環境情報を、取得時の状態情報と対応付けて環境情報を記憶する記憶部をさらに備え、
前記誘導情報生成部は、前記記憶部に記憶されている環境情報に基づいて誘導情報を生成する、
請求項１乃至１２のいずれかに記載の画像表示装置。
【請求項１４】
環境情報を提供する外部装置と通信する通信部をさらに備え、
前記状態情報取得部は、前記通信部を介して外部装置から環境情報を取得し、
前記誘導情報生成部は、前記通信部を介して取得した少なくとも１つの環境情報に基づいて誘導情報を生成する、
請求項１乃至１３のいずれかに記載の画像表示装置。
【請求項１５】
前記外部装置は、他のユーザーが装着する他の画像表示装置又は画像表示装置以外の情報端末、移動体装置に設置された情報端末、特定の場所に固定された情報端末、又は、複数の情報端末で取得した環境情報を保持するサーバーのうち少なくとも１つを含む、
請求項１４に記載の画像表示装置。
【請求項１６】
前記誘導情報生成部は、前記画像表示装置を装着するユーザーが予定する経路を含む２次元平面上に環境情報をマッピングして誘導情報を生成する、
請求項１乃至１５のいずれかに記載の画像表示装置。
【請求項１７】
環境情報を提供する外部装置と通信する通信部をさらに備え、
前記状態情報取得部は、前記通信部を介して外部装置から環境情報を取得し、
前記誘導情報生成部は、前記通信部を介して取得した複数の地点の環境情報を２次元的にマッピングした誘導情報を生成する、
請求項１６に記載の画像表示装置。
【請求項１８】
前記誘導情報生成部は、前記経路上で環境情報を取得できない地点の環境情報を補間処理する、
請求項１６に記載の画像表示装置。
【請求項１９】
環境情報を取得する環境情報取得ステップと、
状態情報を取得する状態情報取得ステップと、
状態毎に取得した少なくとも１つの環境情報に基づいて、環境から受ける影響が低減又は増大する状態に誘導するための誘導情報を生成する誘導情報生成ステップと、
前記誘導情報を提示する提示ステップと、
を有する画像表示方法。
【請求項２０】
環境情報を取得する環境情報取得部、
状態情報を取得する状態情報取得部、
状態毎に取得した少なくとも１つの環境情報に基づいて、環境から受ける影響が低減又は増大する状態に誘導するための誘導情報を生成する誘導情報生成部、
前記誘導情報を提示する提示部、
としてコンピューターを機能させるようにコンピューター可読形式で記述されたコンピューター・プログラムを格納する記憶媒体。
【請求項２１】
状態毎の環境情報を提供する１以上の外部装置と、
自ら取得し、又は、前記外部装置から取得した少なくとも１つの環境情報に基づいて、環境から受ける影響が低減又は増大する状態に誘導するための誘導情報を生成して、提示する、頭部又は顔部に装着型の画像表示装置と、
を具備する画像表示システム。
【手続補正２】
【補正対象書類名】明細書
【補正対象項目名】００８８
【補正方法】変更
【補正の内容】
【００８８】
一定時間が経過する度に（ステップＳ１００１のＹｅｓ）、状態情報取得部５０４は、当該画像表示装置１００又はこれを装着するユーザーの位置並びに姿勢に関する状態情報を取得し（ステップＳ１００２）、位置又は姿勢が前回から変化したかどうかをチェックする（ステップＳ１００３）。なお、最初にステップＳ１００３を実行するとき（すなわち、前回の位置並びに姿勢の情報がないとき）には、変化が検知されたもの（すなわち、ステップＳ１００３のＹｅｓ）として扱う。
【手続補正３】
【補正対象書類名】明細書
【補正対象項目名】００９７
【補正方法】変更
【補正の内容】
【００９７】
第２の実施例によれば、画像表示装置１００は、ユーザーを取り巻く環境情報をリアルタイムに取得して、環境因子がユーザーに与える影響が低減し又は増大する状態となるようにユーザーを誘導するための誘導情報を提示することができる。ここで、画像表示装置１００は、画像表示装置１００又はこれを装着するユーザーの位置又は姿勢が変化したときだけではなく、温度（気温）が変化する度に環境情報を取得するので、温度（気温）にも対応した環境因子の影響を、ユーザーに提示できることになる。
【手続補正４】
【補正対象書類名】明細書
【補正対象項目名】０１７５
【補正方法】変更
【補正の内容】
【０１７５】
そして、誘導情報を所定の表示期間だけ表示し終えると（ステップＳ２１０７のＹｅｓ）、画像表示装置は、誘導情報の表示を表示部５０９の画面から消した後（ステップＳ２１０８）、ステップＳ２１０１に戻り、所定の時間帯内で、上記の処理を繰り返し実行する。
【手続補正５】
【補正対象書類名】明細書
【補正対象項目名】０１９５
【補正方法】変更
【補正の内容】
【０１９５】
【特許文献１】特開２００６−２７５７２０号公報
【特許文献２】特開２０１１−２０３１３７号公報
【特許文献３】特開２０１１−１８７０３０号公報
【特許文献４】特開２００９−１４５０５９号公報
【特許文献５】特開２０１１−２７５３号公報